(57)【要約】      （修正有）【課題】近視眼鏡や老眼鏡など手持ちの眼鏡に容易に装着することができる着脱式ピンホールメガネを提供する。【解決手段】着脱式ピンホールメガネ１０は、複数のピンホール１８が形成された一対の遮光板１２、１２と、一対の遮光板１２、１２の間を連結するブリッジと、眼鏡３２の一対のレンズ３４、３４を弾性的に挟むクリップ１６を備え、一対の遮光板１２、１２が一対のレンズ３４、３４の前面にそれぞれ位置するように眼鏡３２に装着することができるように構成されている。【選択図】図３
0003158289.tif 000002
【実用新案登録請求の範囲】
【請求項１】
複数のピンホールが形成された一対の遮光板と、前記一対の遮光板の間を連結するブリッジと、対象を弾性的に挟むクリップからなり、装着対象となる眼鏡の一部を前記クリップで挟むことにより、前記装着対象となる眼鏡の一対のレンズの前面に前記一対の遮光板がそれぞれ位置するように装着可能であることを特徴とする着脱式ピンホールメガネ。
【請求項２】
前記遮光板の下部の一部が切り欠かれていることを特徴とする請求項１に記載の着脱式ピンホールメガネ。
【請求項３】
前記ピンホールは、前記遮光板の裏側から表側に向けてピンホール径が漸減していることを特徴とする請求項１または２に記載の着脱式ピンホールメガネ。
【考案の詳細な説明】
【技術分野】
【０００１】
本考案は、近視眼鏡や老眼鏡などに容易に装着することができる着脱式ピンホールメガネに関する。
【背景技術】
【０００２】
ピンホールメガネはレンズの代わりに遮光性の板を取り付けた眼鏡であり、遮光板に設けられている微細な孔（ピンホール）を通して外界を眺めることで疲れ眼などの眼精疲労の回復に効果があることが知られている。これまでに様々なタイプのピンホールメガネが市場に出回っているが、その多くは大量生産された安価なものであり、機能面はともかく装着感については必ずしも満足のいくものではなかった。特許文献１に開示されたピンホールメガネは、装着感の向上に着目した数少ない事例であり、全体として弾性構造を採用し、フレームを装着者の顔の形や大きさにフィットさせることができるように構成されている。
【先行技術文献】
【特許文献】
【０００３】
【特許文献１】特開２００６−１６３２５４号公報
【考案の概要】
【考案が解決しようとする課題】
【０００４】
しかし、日常的に近視眼鏡や老眼鏡などを使用している人は、使用者の顔形に合わせて調整された装着感の良いものを使用していることが多いため、たとえ装着感に配慮したピンホールメガネであっても使用時に違和感を覚えることが多く、疲労回復に集中することができないという問題があった。
【０００５】
本考案は、日常的に近視眼鏡や老眼鏡などを使用している人であっても違和感を覚えることなく使用することができるようにすることにより眼精疲労の回復効果を高めることができるピンホールメガネを提供することを目的としている。  
【課題を解決するための手段】
【０００６】
装着対象の眼鏡のレンズやフレーム、ブリッジなどを挟むことができるクリップをテンプルのないピンホールメガネに設け、手持ちの近視眼鏡や老眼鏡などに容易に装着できるようにした。弾性力を利用したクリップは眼鏡を傷つける心配がなく、着脱も容易である。
【０００７】
さらに遮光板の下部の一部を切り欠くことで、ピンホールを通して遠くの対象物を眺め、切り欠き部を通して近くの対象物を眺めるという作業を交互に行うことができるようになり、眼筋が鍛えられ、視力の向上や低下の予防に資するという効果が期待できる。
【考案の効果】
【０００８】
本考案によれば、普段から使用している手持ちの近視眼鏡や老眼鏡など使い慣れた眼鏡を用いてピンホール効果による眼精疲労の回復を享受することができるようになるので、使用者が装着時の違和感を覚えることなく疲労回復に集中することができ、眼精疲労の回復効果を高めることができる。
【図面の簡単な説明】
【０００９】
【図１】着脱式ピンホールメガネの一形態を示す正面図
【図２】着脱式ピンホールメガネの一形態を示す背面図
【図３】着脱式ピンホールメガネの一形態を眼鏡に装着した状態を示す正面図
【図４】着脱式ピンホールメガネの他の形態を眼鏡に装着した状態を示す正面図
【考案を実施するための形態】
【００１０】
図１および図２は本考案に係る着脱式ピンホールメガネの一実施の形態を示す正面図および背面図である。着脱式ピンホールメガネ１０は、左右一対の遮光板１２、１２をブリッジ１４で連結したものであり、ブリッジ１４にはクリップ１６が取り付けられている。遮光板１２、１２は光を透さないプラスチックを通常の眼鏡のレンズと同程度の大きさ、形状に成型したものである。
【００１１】
遮光板１２、１２には裏側から表側に貫通する複数のピンホール１８が略全面にわたって形成されている。ピンホール１８は規則的に配列されており、横方向においては各列が直線状に等間隔で平行に並び、縦方向においては横列に対して６０度および１２０度の角度をなす方向に等間隔で並んでおり、任意のピンホール１８を取り囲む６つのピンホール１８は正六角形の各頂点に位置している。ピンホール１８は、遮光板１２、１２の裏側から表側に向けてピンホール径が漸減し、裏側より表側の径が小さいテーパ状の孔になっている。なお遮光板１２、１２は、着脱式ピンホールメガネ１０を装着対象となる眼鏡に装着したときにレンズに近接する側が裏側である。
【００１２】
クリップ１６は、ブリッジ１４に取り付けられた固定部２０と、固定部２０に対して相対的に変位可能な可動部２２と、可動部２２を所定の方向に付勢するばね２４で構成されている。可動部２２は固定部２０に回動可能に枢支されている。可動部２２の一端に設けられた一対の可動片２６、２６は、ばね２４の弾性力によって固定部２０に設けられた一対の固定片２８、２８に押し付けられている。可動部２２の他端に設けられているつまみ３０を指で固定部２０側に押すと、可動部２２が回動し、可動片２６、２６が固定片２８、２８から離れて両者の間に隙間が生じる。
【００１３】
図３は本考案に係る着脱式ピンホールメガネを眼鏡に装着した状態を示す正面図である。着脱式ピンホールメガネ１０は、可動片２６、２６と固定片２８、２８の隙間に眼鏡３２の左右一対のレンズ３４、３４を入れ、可動片２６、２６と固定片２８、２８がばね２４の弾性力によってレンズ３４、３４を表裏側から弾性的に挟み込むことによって眼鏡３２に装着されている。遮光板１２、１２はそれぞれレンズ３４、３４の前面に位置しており、眼鏡３２を顔に装着すれば両目の前方に遮光板１２、１２が位置するようになっている。眼鏡３２の所有者は、着脱式ピンホールメガネ１０が装着された眼鏡３２をいつものように顔に装着するだけでピンホール効果による眼精疲労の回復を享受することができる。手持ちの使い慣れた眼鏡３２をそのまま使用できるため、装着時に違和感を覚えることなく疲労回復に集中することができ、高い疲労回復効果が期待できる。なお、クリップ１６は一対のレンズ３４、３４以外のフレーム３６やブリッジ３８など眼鏡３２の任意の部分を挟み込むように構成することも可能である。
【００１４】
図４は本考案に係る着脱式ピンホールメガネの他の実施形態を示す正面図である。着脱式ピンホールメガネ４０の左右一対の遮光板４２、４２は、下部の一部を欠いており、一対の遮光板１２、１２に較べて縦に短くなっている。この左右一対の遮光板４２、４の下部に形成された切り欠き部４４は、使用者が眼鏡４６を外したり、着脱式ピンホールメガネ４０を眼鏡４６から取り外したりすることなく手元を確認することができるという利便性をもたらしている。さらには、ピンホール４８を通して遠くの対象物を眺め、切り欠き部４４を通して近くの対象物を眺めるという作業を交互に行うことにより眼筋が鍛えられ、視力の向上や低下の予防効果も期待できる。切り欠き部４４は図４に示しているように遮光板４２、４２を直線状に切り欠いたもののほか、弧状に切り欠いたものでもよい。
【００１５】
ピンホールメガネには、眼精疲労などの疲れ目の各種症状を眼筋に適度な負荷をかけることで緩和、回復を図る機能があるが、その効果を最大限に発揮させるためには精神的に平穏な状態を確保し、集中力を高めることが重要であるといわれている。従って、装着感の良くないピンホールメガネの場合、使用者の注意力が散漫になり、十分な疲労回復効果が期待できないことが多い。本考案の着脱式ピンホールメガネによれば、手持ちの使い慣れた眼鏡に簡単に装着して使用することができるため、違和感を覚えることなく疲労回復作業に集中することができるようになる。
【００１６】
また本考案の着脱式ピンホールメガネは、使用者の眼に入射する光量を低減できるので、晴天時や逆光時などにサングラスの代わりに使用することも可能である。
【符号の説明】
【００１７】
１０、４０  着脱式ピンホールメガネ
１２、４２  遮光板
１４  ブリッジ
１６  クリップ
１８、４８  ピンホール
３２、４６  眼鏡
３４  レンズ
４４  切り欠き部
【図１】
0003158289.tif 000003
【図２】
0003158289.tif 000004
【図３】
0003158289.tif 000005
【図４】
0003158289.tif 000006